(57)【要約】【課題】写真の収納枚数を多く、かつ各種のメモリアル品も収納することができるようにした写真収納用具を提供する。【解決手段】円筒状収納体３に設けた観音開き構造の扉４において、その扉４が開いた状態の内側を写真収納部６とし、写真をそのまま、あるいは防水性，防湿性，耐候性処理を施してパネル状にして収納可能にする。さらに、円筒状収納体３の内部中央には内部収納体７を内設し、内部収納体７の内部扉である外壁部７ａにも写真を付設可能にする。【選択図】    図２
2004329807.tif 000002
【特許請求の範囲】
【請求項１】
受け台に対して周方向が回転可能に収納箱状体を設置し、この収納箱状体の周側壁の複数箇所に観音開き構造の扉を設け、前記収納箱状体内部と前記扉に写真を収納可能にしたことを特徴とする写真収納用具。
【請求項２】
前記収納箱状体の内部中央部に、遺影あるいは記念となるメモリアル品などを収納する内部収納体を設け、この内部収納体の一部に開口部を設け、この開口部に開閉可能な内部扉を設けたことを特徴とする請求項１記載の写真収納用具。
【発明の詳細な説明】
【０００１】
【発明の属する技術分野】
本発明は、種々の記念写真，ポートレート、あるいは遺影，記念となるメモリアル品などを、簡単に多数保管できるようにした写真収納用具に関するものである。
【０００２】
【従来の技術】
従来、大切な家族との記念写真などを飾るときには、特許文献１に記載されているように、１枚のプレート状の写真入れに、複数枚の写真を収納して壁に飾ったり、サイドボードの上に置くことができるようにしたものがある。
【０００３】
また、特許文献２に記載されているように、写真あるいは各種の記念となる物を収納することができ、しかもコンパクトで持ち運びができるようにしたものも提案されている。
【特許文献１】
特開２００２−３０６２９５号公報
【特許文献２】
登録実用新案第３０８７６７１号公報
【０００４】
【発明が解決しようとする課題】
しかしながら、前記特許文献１，２に記載されたものでは、写真などの収納部分が平板状であって、写真収納枚数およびメモリアル品を収納することができるスペースが少ない。
【０００５】
そこで、本発明の目的は、前記従来のものの問題を解消して、写真の収納枚数を多く、かつ各種のメモリアル品も収納することができるようにした写真収納用具を提供することにある。
【０００６】
【課題を解決するための手段】
前記目的は本発明の次のような手段によって解決することができる。
本発明の写真収納用具は、受け台に対して周方向が回転可能に収納箱状体を設置し、この収納箱状体の周側壁の複数箇所に観音開き構造の扉を設け、前記収納箱状体内部と前記扉に写真を収納可能にしたものであり、回転する収納箱状体の周側壁における複数の扉に、それぞれ写真を収納することができ、収納可能枚数が多くなる。
【０００７】
また、前記収納箱状体の内部中央部に、遺影あるいは記念となるメモリアル品などを収納する内部収納体を設け、この内部収納体の一部に開口部を設け、この開口部に開閉可能な内部扉を設けたことによって、特に記念となる写真、あるいは遺影、あるいは記念となるメモリアル品を、内部収納体に収納することもできる。
【０００８】
【発明の実施の形態】
以下、本発明の好適な実施形態について図面を参照しながら説明する。
【０００９】
図１は本発明の実施形態である写真収納用具の全体を説明するための斜視図、図２は本実施形態の扉を開いたときの説明図であり、１は円盤状の受け台、２は受け台１の下部に複数設置された足体、３は受け台１の上部に周方向に回転するように設置された円筒状収納体（収納箱状体）、４は円筒状収納体３の周側壁部に複数箇所（この例では４箇所）設けた観音開き構造の扉、５は各扉４に設けられた取っ手である。
【００１０】
図２において、開いた状態の扉４の内側は写真収納部６となっており、写真をそのまま、あるいは防水性，防湿性，耐候性処理を施してパネル状にして収納することができるようになっている。さらに、円筒状収納体３の内部中央には内部収納体７が内設されており、内部収納体７の外壁部７ａにも写真を設けることができるようになっている。
【００１１】
本実施形態では写真収納用具を祭壇として利用できるようにしてあり、扉４および内部収納体７の外壁部７ａに、法名，戒名，墓誌などを記載するようにしてもよい。これは宗教，宗派によって異なるものになる。
【００１２】
図３は本実施形態の横断面図、図４は前記内部収納体の外壁部の開閉構造を説明する斜視図であり、図３に示すように、内部収納体７には、観音開き扉４に対向してそれぞれ外壁部７ａを設け、その内の１つを、図４に示すように、内部扉として上部に回動して収納することができるようにしている。
【００１３】
図５は内部収納体７の内部を示す図であり、外壁部７ａを上部に回動して収納している状態を示しており、内部には引き出し８が付設された設置段部９を設置している。引き出し８には各種記念となる物を収納することができ、また設置段部９には、遺影，位牌、あるいは宗派によって異なるシンボル像（仏像，十字架）などを置くことができるようになっている。
【００１４】
図６は前記受け台の斜視図、図７は受け台内部に収納される小収納体の断面図であり、受け台１は、円筒状収納体３が当該受け台１の上部わ周方向に回転するように、回転ベアリングなどを介して円筒状収納体３を支持している。また受け台１の中央は中空１ａであって、この中空１ａ部分には、図７に示すように、発泡部材１０ａおよびアルミ蒸着保護膜１０ｂによって内部が覆われた蓋体１１と、同様に発泡部材１０ａおよびアルミ蒸着保護膜１０ｂによって内部が覆われ、かつ上部に前記蓋体１１がねじ込み固定される筒体１２とからなる小収納体１３が設置されるようになっている。
【００１５】
前記小収納体１３は、耐熱性，防湿性を有するよう構成されており、最も大切とされる写真，ネガ，メモリアル品などを収納して、保護，保管することができるようにしている。この小収納体１３としてはセキュリティ性を重視した構造にすることも考えられる。
【００１６】
さらに、円筒状収納体３および小収納体１３内部の環境雰囲気、例えばカビの発生を防止するなどの目的から炭の粉末体あるいは青森ヒバの粉末体などを適所に置いたり、含有させることも考えられる。
【００１７】
また収納される写真は、パネル状にして薄いプラスチックを複数枚重ねたものでラミネート処理を施すようにする。これにより、紫外線が写真に入射せず、防水性，防湿性，耐候性を向上させることができる
【００１８】
なお、前記実施形態の各部は、木材，石材あるいはプラスチックで構成することができ、さらにはステンレスまたは銅などの金属、あるいは、それらの鋳造品によって製造することも考えられる。また外観も本実施形態における形状，形態に限定さ図、種々のものが考えられる。
【００１９】
【発明の効果】
以上のように、本発明の写真収納用具は、回転する収納箱状体の内部および周側壁における複数の扉に、それぞれ写真を収納することができ、収納可能枚数が多くなり、また収納箱状体の内部中央部に、遺影あるいは記念となるメモリアル品などを収納する内部収納体を設けることによって、最も重要な記念となる写真、あるいは遺影、あるいはメモリアル品を内部収納体に収納することもできるなど、多種の使用法が考えられ、実用性に優れたものである。
【図面の簡単な説明】
【図１】本発明の実施形態である写真収納用具の全体を説明するための斜視図である。
【図２】本実施形態の扉を開いたときの説明図である。
【図３】本実施形態の横断面図である。
【図４】本実施形態における内部収納体の外壁部の開閉構造を説明する斜視図である。
【図５】本実施形態における内部収納体の内部を示す図である。
【図６】本実施形態における受け台の斜視図である。
【図７】本実施形態における受け台内部に収納される小収納体の断面図である。
【符号の説明】
１  受け台
２  足体
３  円筒状収納体
４  観音開き構造の扉
５  取っ手
６  写真収納部
７  内部収納体
７ａ  外壁部
８  引き出し
９  設置段部
１０ａ  発泡部材
１０ｂ  アルミ蒸着保護膜
１１  蓋体
１２  筒体
１３  小収納体
【図１】
2004329807.tif 000003
【図２】
2004329807.tif 000004
【図３】
2004329807.tif 000005
【図４】
2004329807.tif 000006
【図５】
2004329807.tif 000007
【図６】
2004329807.tif 000008
【図７】
2004329807.tif 000009